(57)【要約】【課題】  忠実な色の再現をすることができ、また、同じ物体について、暗い背景の場合と、明るい背景の場合で、色が異なってしまうことがないＰＤＰ駆動装置及び方法を提供する。【解決手段】  １フレーム分の映像データを受け、該フレームについての消費電力を予測する電力予測値検出手段と、電力予測値に基づいて映像データの特徴を表す画像特徴情報を出力する画像特徴検出手段と、画像特徴情報に基づいてフレーム毎に変動可能な駆動倍数を設定する駆動倍数変動手段と、予め決められた所定の駆動倍数を設定する駆動倍数固定手段を有する。映像データが映画である場合は、所定の駆動倍数を選択する一方、映像データが映画以外である場合は、変動可能な駆動倍数を選択するスイッチを設け、スイッチにより選択された駆動倍数により前記駆動信号を生成する。【選択図】図５
2008089702.tif 000002
【特許請求の範囲】
【請求項１】
サブフィールドにより表示パネルを駆動する駆動信号を生成する駆動装置であって、
１フレーム分の映像データを受け、該フレームについての消費電力を予測し、電力予測値を出力する電力予測値検出手段と、
電力予測値に基づいて映像データの特徴を表す画像特徴情報を出力する画像特徴検出手段と、
画像特徴情報に基づいてフレーム毎に変動可能な駆動倍数を設定する駆動倍数変動手段と、
予め決められた所定の駆動倍数を設定する駆動倍数固定手段と、
映像データが映画であるか、映画以外であるかを判断する制御手段と、
映像データが映画である場合は、所定の駆動倍数を選択する一方、映像データが映画以外である場合は、変動可能な駆動倍数を選択するスイッチと、
前記スイッチにより選択された駆動倍数により前記駆動信号を生成するサブフィールド変換手段を有することを特徴とする駆動装置。
【請求項２】
前記予め決められた所定の駆動倍数は、３倍の駆動倍数である請求項１記載の駆動装置。
【請求項３】
前記制御手段とスイッチは、さらに、手動により所定の駆動倍数を選択することができる請求項１記載の駆動装置。
【請求項４】
サブフィールドにより表示パネルを駆動する駆動信号を生成する駆動方法であって、
１フレーム分の映像データを受け、該フレームについての映像信号累積値を検出するステップと、
電力予測値に基づいて映像データの特徴を表す画像特徴情報を出力するステップと、
画像特徴情報に基づいてフレーム毎に変動可能な駆動倍数を設定するステップと、
予め決められた所定の駆動倍数を設定するステップと、
映像データが映画であるか、映画以外であるかを判断するステップと、
映像データが映画である場合は、所定の駆動倍数を選択する一方、映像データが映画以外である場合は、変動可能な駆動倍数を選択するステップと、
選択された駆動倍数により前記駆動信号を生成するステップを有することを特徴とする駆動方法。
【請求項５】
前記予め決められた所定の駆動倍数は、３倍の駆動倍数である請求項４記載の駆動方法。
【請求項６】
さらに、手動により所定の駆動倍数を選択することができるステップ有する請求項４記載の駆動方法。
【請求項７】
サブフィールドにより表示パネルを駆動する駆動信号を生成するＩＣチップであって、
１フレーム分の映像データを受け、該フレームについての消費電力を予測し、電力予測値を出力する電力予測値検出手段と、
電力予測値に基づいて映像データの特徴を表す画像特徴情報を出力する画像特徴検出手段と、
画像特徴情報に基づいてフレーム毎に変動可能な駆動倍数を設定する駆動倍数変動手段と、
予め決められた所定の駆動倍数を設定する駆動倍数固定手段と、
映像データが映画であるか、映画以外であるかを判断する制御手段と、
映像データが映画である場合は、所定の駆動倍数を選択する一方、映像データが映画以外である場合は、変動可能な駆動倍数を選択するスイッチと、
前記スイッチにより選択された駆動倍数により前記駆動信号を生成するサブフィールド変換手段を有することを特徴とするＩＣチップ。
【発明の詳細な説明】
【技術分野】
【０００１】
本発明は、プラズマディスプレイパネル（ＰＤＰ）を駆動するためのＰＤＰ駆動装置及び駆動方法に関し、更にかかるＰＤＰ駆動装置を組み込んだＩＣチップに関する。
【背景技術】
【０００２】
薄型化、大画面化が可能なＰＤＰを用いたＰＤＰ駆動装置が広く知られている。このＰＤＰ駆動装置では、画素を構成する放電セルの発光を利用することにより画像を表示している。この放電セルを発光させるためには、放電セルを構成する電極に高電圧の駆動パルスを印加する駆動回路が使用されている。
【０００３】
ここで、輝度の高い画像を表示する場合には、ＰＤＰの充放電回数が増加するため、走査駆動回路および維持駆動回路により走査電極、維持電極に多数の走査パルス、維持パルスがＰＤＰに印加され、走査駆動回路および維持駆動回路の消費電力が増大する。
【０００４】
特許文献１においては、ＰＤＰの消費電力に基づいて、各サブフィールド期間内の維持期間に含まれる維持パルス数の重み付け倍数（駆動倍数）を小さくすることにより、消費電力の増大を抑制するＰＤＰ駆動装置が記載されている。
【０００５】
駆動倍数について説明すると、０，１，２，３，４，・・・，２５５階調の２５６階調で明るさを表す場合、駆動倍数が１倍の場合、維持パルス数をそれぞれの階調に対し、０，１，２，３，４，・・・，２５５個とすると、駆動倍数が５倍の場合、維持パルス数はそれぞれの階調に対し、０，５，１０，１５，２０，・・・，１２７５個になる。
【０００６】
たとえば、雪景色のシーンなど、明るいフレームに対しては、多くの画素が２００階調以上の高レベルを有するものとする。もし、そのフレームを５倍の駆動倍数の維持パルス数で駆動した場合、多くの電力が必要となる。特許文献１では、この場合は、駆動倍数を１倍に落とし、駆動電力を減少させると共に、駆動電力を、平均的な明るさのフレームに必要な電力に相当する程度まで減少させる。
【０００７】
一方、夜空の星のシーンなど、暗いフレームに対しては、多くの画素が３０階調以下の低レベルを有し、ごく一部の画素を２００階調以上の高レベルを有するものとする。たとえ、そのフレームを５倍の駆動倍数で駆動しても、平均的な明るさのフレームに必要な電力にも達しない。特許文献１では、この場合は、駆動倍数を例えば８倍に上げ、ごく一部の画素である星の部分を鮮明に表現すると共に、駆動電力を、平均的な明るさのフレームに必要な電力に相当する程度まで増加させる。
【特許文献１】特開平１１−２３１８２５号公報
【０００８】
特許文献１に開示のＰＤＰ駆動装置の概略を図１に示す。入力されたＲ，Ｇ，Ｂの各信号は、逆ガンマ補正手段１０２で逆ガンマ補正がなされ、電力予測値検出手段１０４で１フィールドに対する電力予測値として、映像信号累積値ＡＰＬ（Average Picture Level)が検出される。画像特徴検出手段１０６で映像信号累積値ＡＰＬに基づき画像の特徴が検出される。たとえば、検出されたフレームを、映像信号累積値ＡＰＬの値に応じて、複数に分類されたクラスのいずれかに振り分ける。駆動倍数変動手段１０８では、複数に分類されたクラスに基づき、駆動倍数を変動する。たとえば、映像信号累積値ＡＰＬが低い、すなわち暗いフレームについては、駆動倍数を大きくし、映像信号累積値ＡＰＬが高い、すなわち明るいフレームについては、駆動倍数を小さくする。駆動倍数変動手段１０８で設定された駆動倍数に基づき、サブフィールド変換手段１１０は、サブフィールドの重み付けを変える。たとえば、暗いフレームについては、サブフィールドの重み付けを８倍にする一方、明るいフレームについては、サブフィールドの重み付けを１倍にする。このように重み付けされたサブフィールドに基づき、サブフィールド変換手段１１０からは、必要な維持パルス数等の駆動パルスと映像データが生成され、走査・維持・消去駆動回路１１２およびデータ駆動回路１１４により、ＰＤＰ１１６の表示が行われる。
【０００９】
このように、駆動倍数変動手段１０８によりフレーム単位で駆動倍数を設定した場合、２つの問題が生ずる。ひとつは、忠実な色の再現の低下の問題であり、もう一つは、同じ物体について、暗い背景の場合と、明るい背景の場合で、色が異なってしまう問題である。
【００１０】
まず、前者について説明する。図２は、階調レベルと輝度の関係を、駆動倍数が１倍モードの時の３色Ｒ，Ｇ，Ｂのものと、駆動倍数が５倍モードの時の３色Ｒ，Ｇ，Ｂのものについて示したグラフである。駆動倍数が５倍モードの場合、特に緑の輝度と、赤の輝度は、階調レベルが高くなるにつれ、飽和状態になり、必要な輝度を出力することができない。従って、階調レベルが１００当たりにあっては、５倍モードを用いて表現していた３色ＲＧＢの割合は、所望の割合になっているが、階調レベルが２００当たりにあっては、５倍モードを用いて表現していた３色ＲＧＢの割合は、所望の割合にはならず、緑の割合と、赤の割合が少なくなり、忠実な色の再現ができなくなる。
【００１１】
次に、後者について説明する。図３は、暗い背景で捕らえた物体Ｐ１のフレームを示し、図４は、明るい背景で捕らえた同じ物体Ｐ１のフレームを示す。例えば、図３の暗い背景のＲＧＢの割合を０：０：０とし、物体Ｐ１のＲＧＢの階調の割合を０：１９２：１９２とする。また、図４の明るい背景のＲＧＢの割合を２５５：２５５：２５５とし、物体Ｐ１のＲＧＢの階調の割合を、図３と同様、０：１９２：１９２とする。この場合、駆動倍数変動手段１０８により、映像信号累積値ＡＰＬが低い図３の場合、例えば５倍モードが選択され、映像信号累積値ＡＰＬが高い図４の場合、例えば１倍モードが選択される。５倍モードが選択された場合の物体Ｐ１のＲＧＢの輝度の割合は、図２より、０：２２８：８６となる一方、１倍モードが選択された場合の物体Ｐ１のＲＧＢの輝度の割合は０：３６：１７となる。青の値で正規化すると、５倍モードでのＲＧＢの輝度の割合は、０：２．６５：１となり、１倍モードでのＲＧＢの輝度の割合は、０：２．１２：１となる。従って、５倍モードの方が、１倍モードの場合と比べ、緑の割合が多くなる。従って、物体Ｐ１の色は、５倍モードの時の方がより緑かかって見える。もし、図３のフレームから図４のフレームに突然変化した場合、物体Ｐ１は、別の色に見えてしまう。
【００１２】
上記の問題点を別の観点から見た場合、特許文献１を採用したＰＤＰ駆動装置では、駆動倍数の変化により、特に映像信号累積値ＡＰＬが低い場合、つまり暗いシーンにおいては、駆動倍数が大きいため、黒に限りなく近い階調が浮き上がり、いわゆる引き締まった黒を表現することが困難になるという問題がある。
【発明の開示】
【発明が解決しようとする課題】
【００１３】
本発明は、忠実な色の再現をすることができるＰＤＰ駆動装置及び方法を提供することを課題とする。
【００１４】
また、本発明は、同じ物体について、暗い背景の場合と、明るい背景の場合で、色が異なってしまうことがないＰＤＰ駆動装置及び方法を提供することを課題とする。
【課題を解決するための手段】
【００１５】
本発明の第１の観点は、サブフィールドにより表示パネルを駆動する駆動信号を生成する駆動装置であって、１フレーム分の映像データを受け、該フレームについての消費電力を予測し、電力予測値を出力する電力予測値検出手段と、電力予測値に基づいて映像データの特徴を表す画像特徴情報を出力する画像特徴検出手段と、画像特徴情報に基づいてフレーム毎に変動可能な駆動倍数を設定する駆動倍数変動手段と、予め決められた所定の駆動倍数を設定する駆動倍数固定手段と、映像データが映画であるか、映画以外であるかを判断する制御手段と、映像データが映画である場合は、所定の駆動倍数を選択する一方、映像データが映画以外である場合は、変動可能な駆動倍数を選択するスイッチと、前記スイッチにより選択された駆動倍数により前記駆動信号を生成するサブフィールド変換手段を有することを特徴とする駆動装置である。
【００１６】
本発明の第２の観点は、サブフィールドにより表示パネルを駆動する駆動信号を生成する駆動方法であって、１フレーム分の映像データを受け、該フレームについての消費電力を予測し、電力予測値を出力するステップと、電力予測値に基づいて映像データの特徴を表す画像特徴情報を出力するステップと、画像特徴情報に基づいてフレーム毎に変動可能な駆動倍数を設定するステップと、予め決められた所定の駆動倍数を設定するステップと、映像データが映画であるか、映画以外であるかを判断するステップと、映像データが映画である場合は、所定の駆動倍数を選択する一方、映像データが映画以外である場合は、変動可能な駆動倍数を選択するステップと、選択された駆動倍数により前記駆動信号を生成するステップを有することを特徴とする駆動方法である。
【００１７】
本発明の第３の観点は、サブフィールドにより表示パネルを駆動する駆動信号を生成するＩＣチップであって、１フレーム分の映像データを受け、該フレームについての消費電力を予測し、電力予測値を出力する電力予測値検出手段と、電力予測値に基づいて映像データの特徴を表す画像特徴情報を出力する画像特徴検出手段と、画像特徴情報に基づいてフレーム毎に変動可能な駆動倍数を設定する駆動倍数変動手段と、予め決められた所定の駆動倍数を設定する駆動倍数固定手段と、映像データが映画であるか、映画以外であるかを判断する制御手段と、映像データが映画である場合は、所定の駆動倍数を選択する一方、映像データが映画以外である場合は、変動可能な駆動倍数を選択するスイッチと、前記スイッチにより選択された駆動倍数により前記駆動信号を生成するサブフィールド変換手段を有することを特徴とするＩＣチップである。
【発明の効果】
【００１８】
本発明によれば、入力された映像信号が映画の場合、駆動倍数を自動的に固定モードに設定するので、忠実な色の再現を、暗いフレームや明るいフレームのいずれにおいても達成することができる。
【００１９】
また、本発明によれば、入力された映像信号が映画の場合、駆動倍数を自動的に固定モードに設定するので、暗いフレームや明るいフレームのいずれにおいても、同じ色のものは同じ色で表現することができる。
【発明を実施するための最良の形態】
【００２０】
本発明の構成について、図５を用いて説明する。本発明のＰＤＰ駆動装置は、ガンマ補正されたＲＧＢの映像信号に対して逆ガンマ補正を行う逆ガンマ補正手段２と、逆ガンマ補正手段２により逆ガンマ補正された映像信号の映像信号累積値ＡＰＬを検出する電力予測値検出手段４と、電力予測値検出手段４により検出された映像信号累積値ＡＰＬから画像の特徴を検出する画像特徴検出手段６と、画像特徴検出手段６により検出された画像の特徴に基づいて駆動倍数（駆動モード）を選択する駆動倍数変動手段８と、スイッチ２２と、スイッチ２２から得られる駆動倍数に基づき、サブフィールド数や、駆動倍数を設定し、駆動パルス信号（走査パルス信号、維持パルス信号、消去信号を含む）を生成すると共に、データ駆動信号を生成するサブフィールド設定手段１０と、サブフィールド設定手段１０からの駆動パルス信号に基づいて走査電極、維持電極、消去電極を駆動する走査・維持・消去駆動回路１２と、サブフィールド設定手段１０からのデータ駆動信号により駆動されるデータ駆動回路１４と、映像を表示するＰＤＰ（プラズマディスプレイパネル）１６により構成される。駆動パルス信号とデータ駆動信号を合わせて駆動信号という。
【００２１】
電力予測値検出手段４は、映像信号累積値ＡＰＬの他、映像信号のピーク情報を検出することも可能である。画像特徴検出手段６は、入力された映像信号累積値レベルＡＰＬに基づいて、サブフィールド数、乗算器（図示せず）用の定倍係数、諧調の表示点数などを決定すると共に、駆動倍数に必要な情報、たとえば後で説明するクラス情報も出力する。駆動倍数変動手段８は、フレーム毎に変動可能な駆動倍数を設定し、画像特徴検出手段の画像特徴情報と共に出力する。
【００２２】
本発明にかかるＰＤＰ駆動装置は、さらに、入力された映像信号の種別（映画、ニュース、スポーツ等）を示す映像情報を出力する制御手段２０と、駆動倍数を予め決められた所定の駆動倍数に固定する、駆動倍数固定手段１８を有する。制御手段２０から入力された種別を表す映像情報に基づき、スイッチ２２は、駆動倍数変動手段８から出力された変動する駆動倍数か、駆動倍数固定手段１８から出力された固定の駆動倍数のいずれかを選ぶ。
【００２３】
次に、このＰＤＰ駆動装置の動作について説明する。
【００２４】
逆ガンマ補正手段２は、逆ガンマ補正された映像信号を出力する。電力予測値検出手段４は、１フレームに含まれる全画素の電力予測値として、映像信号累積値ＡＰＬ（Average Picture Level)を検出する。画像特徴検出手段６は、映像信号累積値ＡＰＬに基づき画像特徴情報を抽出する。画像特徴情報は、たとえば、ＡＰＬの値を５つの画像特定クラス（Ｃ１，Ｃ２，Ｃ３，Ｃ４，Ｃ５）に分けた場合、いずれの画像特定クラスに属するかを表す情報である。Ｃ１は、非常に暗い場合、Ｃ２はやや暗い場合、Ｃ３は、中間の場合、Ｃ４はやや明るい場合、Ｃ５は明るい場合とする。このクラス分けは単に一例であり、より複雑なクラス分けがなされてもよい。また、クラス分けは、消費電力を基準に行うようにしてもよい。
【００２５】
駆動倍数変動手段８は、消費電力がほぼ一定になるように、駆動倍数を設定する。ここで駆動倍数と消費電力の関係について説明する。
【００２６】
１フレームを８つのサブフィールドで表現する場合、８つのサブフィールドは、それぞれ１，２，４，８，１６，３２，６４，１２８で重み付けされ、重み付けされた数の維持パルスで明るさを表現する。これら８つのサブフィールドを組み合わせることにより、画素の明るさを０から２５５までの２５６階調で表現することができる。たとえば、２５階調レベルの明るさを表現する場合は、１＋８＋１６で達成されるので、第１サブフィールド、第４サブフィールド、第５サブフィールドを組み合わせればよい。１フレームを９つのサブフィールドで表現する場合もあり、この場合は、９つのサブフィールドに対する重み付けは例えば、１，２，４，８，１６，３２，６４，６４，６４となる。
【００２７】
また、８つのサブフィールドの重み付けを２倍、すなわち２，４，８，１６，３２，６４，１２８，２５６にすれば、１フレームを２倍の明るさで表現できる。同様に、８つのサブフィールドの重み付けを３倍、４倍、５倍にすれば、１フレームを３倍，４倍，５倍の明るさで表現できる。このサブフィールドの重み付けの倍数を駆動倍数という。駆動倍数を大きくすれば、それだけ消費電力も大きくなる。
【００２８】
あるフレームの映像信号累積値ＡＰＬに対し、画像特徴検出手段６で検出された画像特定クラスが中間値のＣ３であった場合、駆動倍数変動手段８は、駆動倍数が３倍の３倍モードを選択する。また、別のフレームの映像信号累積値ＡＰＬに対し、検出された画像特定クラスがやや暗いＣ２の場合、駆動倍数変動手段８は、駆動倍数が４倍の４倍モードを選択する。さらに別のフレームの映像信号累積値ＡＰＬに対し、検出された画像特定クラスがやや明るいＣ４の場合、駆動倍数変動手段８は、駆動倍数が２倍の２倍モードを選択する。映像信号累積値ＡＰＬの５つの画像特定クラスと、駆動倍数は次の表１の関係にある。
【００２９】
表１
画像特定クラス    ：Ｃ１    Ｃ２    Ｃ３    Ｃ４    Ｃ５
駆動倍数          ：５倍    ４倍    ３倍    ２倍    １倍
したがって、１フレームの映像信号累積値ＡＰＬが低くなる、すなわち画像特定クラスがＣ１の方向に向かうに従って駆動倍数を大きくし、暗い場面でも全体の明るさを上げて、表現力を確保する。また、１フレームの映像信号累積値ＡＰＬが高くなる、すなわち画像特定クラスがＣ５の方向に向かうに従って駆動倍数を小さくし、明るい場面でも、画面がまぶしくならないように、目にやさしい表現力を確保する。また、このように駆動倍数を変えることにより、消費電力も、どのフレームに対してもおよそ一定の所定レベル近傍になるように制御される。
【００３０】
このように、駆動倍数変動手段８により、駆動倍数が、１フレームの明るさ、すなわち映像信号累積値ＡＰＬに応じて変動する設定を駆動倍数変動モードという。
【００３１】
スイッチ２２が実線で示すように、駆動倍数変動手段８とサブフィールド変換手段１０とを接続している場合は、駆動倍数変動モードでサブフィールド数や、駆動倍数が設定され、駆動回路１２，１４によりＰＤＰ１６が駆動される。
【００３２】
図６は、制御手段２０の動作を示す。
【００３３】
ステップＳ１では、固定フラグを０に設定する。
【００３４】
ステップＳ２では、入力された映像信号が映画であるか、映画以外のものであるかの判断を行い、映画の場合は、ステップＳ３で、固定フラグを１に設定し、映画以外の場合は、固定フラグを０のままに保持する。
【００３５】
ステップＳ４では、手動入力手段（図示せず）によりシネマモードが選択されたか否かが判断され、シネマモードが選択された場合は、ステップＳ５で、固定フラグを１に設定し、シネマモードが選択されていない場合は、現状通りの状態に保持する。
【００３６】
ステップＳ６では、固定フラグが１であるか、０であるかを判断する。固定フラグが１である場合は、ステップＳ７で、駆動倍数固定モードを選択し、固定フラグが０である場合は、ステップＳ８で、駆動倍数変動モードを選択する。駆動倍数変動モードの選択は、スイッチ２２が実線で示す状態に設定されることにより達成され、駆動倍数固定モードの選択は、スイッチ２２が点線で示す状態に設定されることにより達成される。
【００３７】
駆動倍数固定モードでは、駆動倍数固定手段１８から予め決められた所定の駆動倍数、例えば１倍モードに固定された情報がサブフィールド変換手段１０に送られる。従って、サブフィールド変換手段１０においては、１フレームの映像信号累積値レベルＡＰＬが変動しても、常に固定された駆動倍数、この場合は１倍モードで、サブフィールドの重み付け制御がなされる。所定の駆動倍数は１倍モードに限らず、他のモード例えば３倍モード、２倍モード、２．５倍モードなどいずれであってもよい。また、サブフィールド数は、固定してもよいし、変動可能にしてもよい。
【００３８】
なお、図５に示す構成部材２，４，６，８，１８，２０，２２，１０は、１個のＩＣチップで構成することも可能である。
【００３９】
図７は、駆動倍数変動モードの場合（細線）と、駆動倍数固定モードの場合（太線）との比較を示す。たとえば、あるフレームについて、駆動倍数変動モードでは、細線で示す３倍モードが選ばれたとする。一方、同じフレームについて駆動倍数固定モードでは、太線で示す固定の２倍モードが設定されたとする。また、点線は、Ｒ，Ｇ，Ｂのそれぞれに対し、理想的な輝度値を示す。図７から明らかなように、実線で示す緑の３倍モードＧの有効出力は、点線で示す緑の３倍モードＧの理想出力に比べ、階調レベルが高くなるほど低下し、両者の差は大きくなる。しかし、実線で示す緑の固定モードＧの有効出力は、点線で示す緑の固定モードＧの理想出力に比べ、階調レベルが高くなるほど低下はするが、それほど顕著ではなく、両者の差も少ない。緑ほどではないが、同じ傾向性が赤と青にも見られる。
【００４０】
たとえば、Ｇの信号については、諧調が１６０階調であった場合には、３倍モードの場合に輝度が１４５であったが、この固定モードへの変更により、輝度が１０５となる。また、Ｒの信号については、諧調が１６０階調であった場合には、３倍モードの場合に輝度が８０であったが、この固定モードへの変更により、輝度が５５となる。さらに、Ｂの信号については、諧調が１６０階調であった場合には、３倍モードの場合に輝度が２７であったが、この固定モードへの変更により、輝度が２０となる。これにより、３倍モードでの３色ＲＧＢの割合が、
Ｂ：Ｒ：Ｇ＝２７：８０：１４５＝１：３：５．３７
であったのが、固定モードでの割合が、
Ｂ：Ｒ：Ｇ＝２０：５５：１０５＝１：２．７５：５．２５
となり、より理想的な割合になり、色を忠実に再現することができる。
【００４１】
図８は、本発明のＰＤＰ駆動装置が、駆動倍数変動モードで動作される場合の、映像信号累積値ＡＰＬと、駆動倍数、電力、乗算係数との関係を示したグラフである。映像信号累積値ＡＰＬが、最も暗い値からある閾値Ｔｈ１に至るまでは、電力は映像信号累積値の増加に伴い増加する。乗算係数は一定に保たれる。また、駆動倍数は、高い倍数の値に保たれる。次に映像信号累積値ＡＰＬが閾値Ｔｈ１からＴｈ２に至るまでは、電力と乗算係数は一定に保たれる。また、駆動倍数は、高い倍数から低い倍数に変化する。更に、映像信号累積値ＡＰＬが閾値Ｔｈ２を超えると乗算係数は、ＡＰＬの増加に伴い減少し、電力を一定に保つ。また、駆動倍数は低い倍数に保たれる。ここで、乗算係数は、図示しない乗算係数設定部（駆動倍数変動手段の直前に設けられる。）において設定される係数であり、本発明とは直接関係しないので、その説明は省略する。
【００４２】
図９は、本発明のＰＤＰ駆動装置が、駆動倍数固定モードで動作される場合の、映像信号累積値ＡＰＬと、駆動倍数、電力、乗算係数との関係を示したグラフである。映像信号累積値ＡＰＬが、最も暗い値からある閾値Ｔｈに至るまでは、電力は映像信号累積値の増加に伴い増加する。乗算係数は一定に保たれる。また、映像信号累積値ＡＰＬが閾値Ｔｈから明るくなると、乗算係数は映像信号累積値の増加に伴い減少し、電力は所定値を超えないようにほぼ一定に保たれる。また、駆動倍数は、映像信号累積値に関係なく常に所定の固定モードに設定されている。
【産業上の利用可能性】
【００４３】
本発明は、ＰＤＰ駆動装置および駆動方法に利用可能である。
【図面の簡単な説明】
【００４４】
【図１】従来のＰＤＰ駆動装置のブロック図
【図２】階調レベルと輝度の関係を、駆動倍数が１倍モードのものと、５倍モードのものについて示したグラフ
【図３】暗い背景で捕らえた物体Ｐ１のフレーム説明図
【図４】明るい背景で捕らえた物体Ｐ１のフレーム説明図
【図５】本発明のＰＤＰ駆動装置のブロック図
【図６】図５に示した制御手段の動作を示すフローチャート
【図７】駆動倍数変動モードと、駆動倍数固定モードの特徴を示したグラフ
【図８】駆動倍数変動モードの動作の特徴を示したグラフ
【図９】駆動倍数固定モードの動作の特徴を示したグラフ
【符号の説明】
【００４５】
２  逆ガンマ補正手段
４  電力予測値検出手段
６  画像特徴検出手段
８  駆動倍数変動手段
１０  サブフィールド変換手段
１２  走査・維持・消去駆動回路
１４  データ駆動回路
１６  ＰＤＰ
１８  駆動倍数固定手段
２０  制御手段
２２  スイッチ
【図１】
2008089702.tif 000003
【図２】
2008089702.tif 000004
【図３】
2008089702.tif 000005
【図４】
2008089702.tif 000006
【図５】
2008089702.tif 000007
【図６】
2008089702.tif 000008
【図７】
2008089702.tif 000009
【図８】
2008089702.tif 000010
【図９】
2008089702.tif 000011